(57)【要約】【課題】  指静脈パターンを利用した個人認証装置において、個人情報の登録・削除・変更が容易に確実に行え、かつ、自動車に搭載しやすいように小型化する手段を提供する。【解決手段】  個人認証装置を、表示手段と一体化し、かつ個人情報の登録・削除・変更時に表示手段で手順の案内を行い、確実に登録・削除・変更ができるようにする。また、認証結果を表示する。【効果】  個人情報の登録・削除・変更が確実に行え、かつ表示手段と一体とすることで小型化と搭載性の向上を図ることができる。また、認証結果を位置情報と一緒に通信することができ、車の盗難防止が行える。【選択図】図１
2005092375.tif 000002
【特許請求の範囲】
【請求項１】
生体情報を取込む生体情報取込み手段と、取込まれた生体情報を元に個人情報の登録を行う個人情報登録手段と、前記生体情報と前記個人情報から個人の特定を行う個人認証手段を有する個人認証装置において、表示手段と一体化したことを特徴とする個人認証装置。
【請求項２】
請求項１において、前記一体化は、同一基板上に前記生体情報手段と前記個人情報登録手段と前記個人認証手段と前記表示手段とを固定したことを特徴とする個人認証装置。
【請求項３】
請求項１において、前記一体化は、一つの筐体に前記生体情報取込手段と前記個人情報登録手段と前記個人認証手段と前記表示手段とを収納したことを特徴とする個人認証装置。
【請求項４】
請求項１〜３のいずれかに記載の個人認証装置において、音声表示手段および／または視覚表示手段を有することを特徴とする個人認証装置。
【請求項５】
請求項１〜４のいずれかに記載の個人認証装置において、位置情報を表示する手段と一体化したことを特徴とする個人認証装置。
【請求項６】
請求項５に記載の個人認証装置において、ナビゲーション機器と一体化したことを特徴とする個人認証装置。
【請求項７】
請求項１〜６のいずれかに記載の個人認証装置において、携帯電話もしくは携帯端末もしくは情報端末と一体化したことを特徴とする個人認証装置。
【請求項８】
請求項１〜７のいずれかに記載の個人認証装置において、ＥＴＣ（Electronic Toll 
Collection：道路通行料自動徴収システム）と一体化したことを特徴とする個人認証装置。
【請求項９】
請求項１〜８のいずれかに記載の個人認証装置において、表示手段と画像取込手段を有するカメラ機器と一体化したことを特徴とする個人認証装置。
【請求項１０】
請求項９に記載の個人認証装置において、車両の後方確認手段または道路の白線認識手段と一体化したことを特徴とする個人認証装置。
【請求項１１】
請求項１〜１０のいずれかに記載の個人認証装置において、前記個人の特定を行う個人認証手段として、血管パターンを使用することを特徴とする個人認証装置。
【請求項１２】
請求項１１に記載の個人認証装置において、前記個人の特定を行う個人認証手段として、指静脈情報を使用することを特徴とする個人認証装置。
【発明の詳細な説明】
【技術分野】
【０００１】
本発明は、人間の生体情報を認証の手段として利用する個人認証装置に関する。
【背景技術】
【０００２】
従来、例えば、自動車のドアロック解除や始動するために鍵が用いられており、鍵をイグニッションスイッチに挿入し、回転させることで自動車を始動状態に遷移させることが知られている。この従来から用いられている鍵においては、鍵を盗難された場合や鍵穴のピッキング等により、自動車のオーナ以外の悪意を持った人物に運転されてしまう可能性がある。ピッキングもしくは複製鍵使用の防止のため、特許文献１に記載されているように、鍵の中に埋め込まれたトランスポンダーと呼ばれるＩＣが入っているものだけがエンジンを始動することができるイモビライザー機能を搭載した自動車の始動方法がある。また、よりセキュリティを高めるために、生体情報を利用した自動車のドアロック解除や始動方法が検討されており、例えば、特許文献２などに開示された方法がある。
【０００３】
【特許文献１】特開２０００−１０８８４８号公報
【特許文献２】特開昭６１−５３９７２号公報
【発明の開示】
【発明が解決しようとする課題】
【０００４】
ところで、このような生体情報を利用する方法では、個人の生体情報を事前に登録しておく必要があり、登録・削除・変更等が発生する。この場合に、本人の生体情報の登録が正しく行われないと、認証時に本人と判断できなくなる。そこで本発明では、個人の生体情報の登録時に登録の案内を行い、本人が間違えないで登録できる手段を提供する。
【０００５】
さらに、自動車には多くの電子装置が搭載され、装置を取付けるスペースも限られており、小型化と搭載のし易さは、必須である。そこで本発明では、小型で搭載し易い個人認証装置を提供することをも目的とする。
【課題を解決するための手段】
【０００６】
本発明では上記目的を達成するために、個人認証手段と表示手段を一体化する手段を備えた。これにより、生体情報の登録・削除・変更が、表示手段の案内により行うことができる。従って、生体情報の登録・削除・変更を確実に行うことができる。
【０００７】
また、一体化によるケースや内部の電源回路やマイコン（またはＣＰＵ、以下マイコンと称する）や基板の共用化が図れ、認証装置の小型化が可能になる。さらに、一体化による装置の搭載性も向上する。
【発明の効果】
【０００８】
本発明によれば、小型で設置が簡単な個人認証装置が実現できる。
【発明を実施するための最良の形態】
【０００９】
本発明の実施例について、以下、詳細に説明する。
【００１０】
図１に指静脈パターンを利用した個人認証装置を自動車の始動システムに応用した構成図の一例を示す。図１に示す個人認証装置３は、指静脈を用いた認証装置の例であり、マイコン３００，イメージセンサ３０１，レンズ３０２，赤外光源３０３，赤外透過フィルタ３０４，赤外光源３０３の駆動回路３０７，マイコン３００に接続された不揮発性メモリ３０６，認証開始スイッチ３０５，電源回路３０８，通信手段３２０，表示手段４００から構成される。認識対象である指７は、赤外光源３０３と赤外フィルタ３０４の間に置かれると、赤外光は血液のヘモグロビンで吸収されるため、イメージセンサ３０１上に血管パターンが結像される。なお、赤外透過フィルタ３０４は血管パターンを得るのにノイズとなる可視光をカットし、血管パターンが含まれる赤外光のみを透過させる特性を持っている。この血管パターンは個人により異なるので、あらかじめ血管パターンを不揮発性メモリ３０６に登録しておき、認証時に登録パターンと認証パターンの一致，不一致を判定することにより個人を特定することができる。
【００１１】
押しボタン形式の認証開始スイッチ３０５は、押されることにより、イメージセンサ
３０１により撮像した血管パターンを電気信号に変換し、マイコン３００に取込む開始信号を生成する。電源回路３０８には、電源スイッチ２がＯＮすると（イグニッション・キー・スイッチのＡＣＣ，ＯＮの状態に相当する。電源スイッチ２は、イグニッション・キー・スイッチで代用しても良い）、外部から電源１が供給されている。さらに，エンジン制御装置またはイモビライザー５００とは、ＬＡＮで接続される構成となっている。また、通信手段３２０は外部の基地局（例えば、携帯電話基地局や警備会社等）と通信するための手段である。表示手段４００は、通常の表示と切り換えて、認証や登録(削除・変更)時に手順や案内を表示と結果を表示する。表示手段としては、音声または視覚または両方を使う。
【００１２】
認証装置３による自動車のエンジン始動の動作は、図１に示したマイコン３００に記憶されたプログラムにより制御される。マイコン３００の動作を図２のフローチャートを用いて説明する。
【００１３】
電源スイッチ２がＯＮ状態に移行すると、認証装置３全体へ電源が供給され、動作を開始する。マイコン３００は、内蔵されたメモリに記憶されたプログラムに従い動作し始める。まずステップＳ１において必要な初期化を行う。初期化処理の内容は、たとえば、内部のメモリの初期化やイメージセンサ３０１の初期設定などが含まれる。次に、ステップＳ２において、現在のモードが認証モードか登録／削除（登録または削除または変更を行う）モードか判定する。認証モードの場合は、ステップＳ３へ進み、登録／削除モードの場合はステップＳ２０へ進む。ステップＳ３では、認証開始スイッチ３０５が押されたかどうかを判定する。もし押されていなければ、ステップＳ２に戻る。押された場合はステップＳ４に移行する。ステップＳ４では、表示手段４００の表示を、一体化している機器の通常の表示から切り換えて、認証の案内を行う。表示手段４００は、視覚表示（手段）または音声表示（手段）または両方の手段による案内を行う。次にステップＳ５に移行し、抽出された特徴パラメータが、あらかじめ不揮発性のメモリ３０６に記憶されたパラメータとの照合を行う。ステップＳ６において、照合結果の判定を行う。もし、合致するパラメータが無ければ、未登録者、または照合失敗として、ステップＳ７で表示手段４００にて、認証ＮＧを表示して、ステップＳ２に戻る。尚、この場合の表示も、視覚または音声による表示もしくは両方で行う。
【００１４】
ステップＳ６において、照合結果が合致すれば、正規の運転者として認証されたことになる。次にステップＳ８に移行し、表示手段４００で認証ＯＫを表示（視覚または音声による手段もしくは両方の手段）し、さらに、エンジン制御ユニットまたはイモビライザ
５００に対して、ＬＡＮを経由して、始動許可のコマンドを発行し、ステップＳ９でエンジンが始動される。始動後は、表示手段４００の表示を、一体化している機器の通常の表示に切り換える。例えば、ナビゲーション機器であれば、ナビゲーションの画面へ切り換える。
【００１５】
一方、ステップＳ２０では、現在のモードが登録か削除（変更も含む：以下同じ）か判断する。登録であればステップＳ２１へ進み、削除（または変更）であれば削除モード
Ｓ３０へ進む。ステップ２１の後は、ステップＳ２２の登録案内手順（図１における表示手段４００の表示を切り換えて、視覚または音声または両方）に従って、ステップＳ２３で登録を実施する。ステップＳ３０の削除(または変更）モードでは、削除(または変更）をステップＳ３１の削除案内手順（図１における表示手段４００の表示を切り換えて、視覚または音声または両方）に従って、ステップＳ３２で実施する。
【００１６】
以上によれば、表示手段４００の視覚または音声（または両方）の案内により、生体情報の登録・削除・変更が確実に行えかつ結果も確認することができる。
【００１７】
図３は、表示手段４００をもつ機器、例えばナビゲーション機器との一体化された、図１の構造図の一例である。表示手段４００ａでは、ナビゲーションの画面と、認証時の案内や認証結果の表示や認証の登録・削除・変更の案内を切り換えて、表示する。手段４は、図１の指７を挿入する部分であり、手段６は筐体を連結する手段、例えばネジである。図３の一体化は、表示手段（単に、ＬＥＤや液晶や音声装置の表示部だけでなく、表示制御部も含んでも良い）４００ａと個人認証部がネジ止め（これに限定するものではない）等で、一体の筐体に収納された例である。
【００１８】
図４は、回路形成手段（例えばプリント基板）３４０上に、マイコン３００とメモリ
３０６と駆動回路３０７と電源回路３０８と通信手段３２０と表示手段４００の制御部
４００ｂを固定して一体に構成した例である。主な部品のみ図示してある。本実施例によれば、マイコン３００・電源回路３０８・メモリ３０６・駆動回路３０７・通信手段320が共用できるため、装置全体が小型化できる。
【００１９】
図５は、図１の他の実施例である。図１と異なる部分について説明する。表示手段と通信手段の両方を持つ手段７００は、例えば携帯電話や携帯端末や携帯パソコンのような情報端末である。表示手段を持つ認証装置３は、通信手段３２１を介して表示手段と通信手段を持つ手段７００と接続されている。ここで通信手段３２１は、手段７００へ信号が送れれば良いため、単なるコネクタかバッファ回路か赤外通信回路か微弱な無線通信手段のいずれか、もしくは複数の組合せで構成されている。手段７００は図示していない基地局（例えば、携帯電話基地局や警備会社等）と通信する。
【００２０】
図６は、表示手段４００をもつ機器、例えばナビゲーション機器と一体化された、図５の構造図の一例である。表示手段４００ａでは、ナビゲーションの画面と、認証時の案内や認証結果の表示や認証の登録・削除・変更の案内を切り換えて、表示する。手段４は、図１の指７を挿入する部分であり、手段６は筐体を連結する手段、例えばネジである。手段５は手段７００の底面で接続され、図５の通信手段３２１の一部を構成している。手段７００は、図示していない基地局との間で通信を行い、現時位置の情報を基地局へ送ったり、地図情報やその他の情報を基地局から取込む。さらに、手段７００は、認証の結果がＮＧの場合、車が盗まれている可能性があり、基地局へ認証ＮＧの結果と位置情報を送信する。基地局は携帯電話基地局や警備会社等である。
【００２１】
本実施例では、表示手段としてナビゲーションシステムと一体化した個人認証装置の例を示したが、オーディオ等の音響機器や、テレビ・ラジオ・ビデオ等の放送受信機器や映像機器や、携帯電話・携帯端末や、携帯パソコン・車載パソコン等の情報端末や、エアコン等の空調機器の表示部や、ＥＴＣ（Electronic Toll Collection）や、バックモニタ・白線認識カメラ等のカメラ機器や、デジタルメータのインパネ等の表示手段と一体化しても良い。
【００２２】
さらに、本実施例については、指静脈パターンを利用した個人認証装置を自動車の始動システムに適用した例について説明したが、住宅やビルなどの入室管理用の個人認証装置などにも応用が可能である。また、指静脈パターンを利用した個人認証装置を例にとり説明したが、指紋認証などの、指静脈以外の生体情報を利用した個人認証装置にも応用が可能である。
【００２３】
本実施例によれば、表示手段に、認証時の案内や認証結果や個人の生体情報(個人情報)の登録・削除・変更の手順の案内が、表示されるため、確実に生体情報の登録・削除・変更が行える。また、認証結果が表示されるため、使い勝手が良くなる。さらに、表示手段を有する他の機器と一体化され、自動車に搭載しやすい小型の個人認証装置を実現することができる。そのうえ通信手段により、基地局と現在の車の位置情報等を通信することができ、車の盗難位置を基地局に残すことができる。
【図面の簡単な説明】
【００２４】
【図１】指静脈パターンを利用した個人認証装置を自動車の始動システムに応用した構成図の一実施例。
【図２】認証装置のマイコンのプログラム動作フローチャート。
【図３】認証装置の外観図の一実施例。
【図４】認証装置の基板に一体化した一実施例。
【図５】指静脈パターンを利用した個人認証装置を自動車の始動システムに応用した構成図の他の実施例。
【図６】認証装置の外観図の実施例。
【符号の説明】
【００２５】
１…電源、３…個人認証装置、７…指、３００…マイコン、３０１…イメージセンサ、３０２…レンズ。
【図１】
2005092375.tif 000003
【図２】
2005092375.tif 000004
【図３】
2005092375.tif 000005
【図４】
2005092375.tif 000006
【図５】
2005092375.tif 000007
【図６】
2005092375.tif 000008